(57)【特許請求の範囲】
【請求項１】
遊技盤の前側に設けられると共に該遊技盤に対応する位置で前後に開口する窓部が開設された枠部材と、前記枠部材の裏側に配設されて前記遊技盤の前側に位置し、複数の平行な透明板からなる透明部材とを備え、前記枠部材の窓部に臨む遊技盤が前記透明部材を介して前側から視認されるよう構成された遊技機であって、
前記枠部材の裏側から前記窓部に嵌合すると共に、少なくとも前記遊技盤に形成される遊技領域の前方に臨む部位が透明に形成された突出部と、
前記突出部の後端部全周に亘って形成されて該突出部の外方へ延出し、前記枠部材における前記窓部を形成する装飾部および前記透明部材に当接する設置面部と、
を備えた保護部材が前記透明部材の前側に配設されて、
前記保護部材における設置面部の後面全体が透明部材に当接すると共に、前記突出部の前面および後面の全体が透明部材の透明板と平行になるよう構成された
ことを特徴とする遊技機。
【請求項２】
前記透明部材には、前記複数の透明板の外周縁を囲繞する枠体に第１係合部が設けられると共に、前記保護部材には、前記設置面部において前記第１係合部と対応する端縁に第２係合部が設けられ、
前記第１係合部および第２係合部を係脱可能に係合させることで、前記透明板から前面側に突出する枠体の突出部分の内周側に保護部材の設置面部が嵌合した状態で、当該保護部材が透明部材に着脱可能に保持される請求項１記載の遊技機。
【請求項３】
前記透明部材に設けられ、前記複数の透明板の外周縁を囲繞する枠体における透明板から前面側に突出する突出部分に形成された逃げ部と、
前記保護部材に設けられ、前記透明部材における前記枠体の突出部分の内周側に前記設置面部を嵌合した際に、前記逃げ部を介して枠体の外方へ延出する保持片と、
前記枠部材に設けられ、前記保持片を枠部材との間に挟持する挟持位置および該保持片から退避して保持片の挟持を解除する退避位置に変位可能な固定具とを備え、
前記窓部に前記突出部を嵌合させた状態で前記固定具を挟持位置に変位することで、前記保持片が前記枠部材と固定具とにより挟持されて、前記保護部材が枠部材に対して着脱可能に保持される請求項１または２記載の遊技機。
【請求項４】
前記装飾部において前記窓部の内周面を形成する内周壁が前記透明部材に対して交差する角度は、該装飾部において内周壁に連設して前面をなす装飾面が透明部材に対して交差する角度より大きく設定されると共に、前記保護部材の突出部は透明部材に対して直交するよう形成された請求項１〜３の何れか一項に記載の遊技機。
【発明の詳細な説明】
【技術分野】
【０００１】
この発明は、遊技機に関し、更に詳細には、枠部材の裏側に配設した透明部材を介して遊技盤を前側から視認し得るよう構成された遊技機に関するものである。
【背景技術】
【０００２】
代表的な遊技機であるパチンコ機は、遊技店の設置台に固定される外枠に対し、中枠が着脱および開閉可能に組み付けられると共に、該中枠に形成した遊技盤保持部に、所要の遊技領域を画成した遊技盤が保持されている。そして、前記中枠の前面側には、前記遊技盤と対応する位置に前後に開口する窓部が開設された前枠(本願の枠部材に相当する)が開閉可能に枢支されており、前枠の裏側に取付けられたガラスユニットを介して遊技盤の遊技領域をパチンコ機の前側から視認し得るよう構成されている。
【０００３】
また、前記遊技盤には、前記遊技領域の略中央位置に、枠状の装飾部材(所謂センター役物)が配設されており、この装飾部材の開口部を介して複数の図柄を変動表示して図柄変動ゲームを行なう液晶式やドラム式等の図柄表示装置を後方から臨ませると共に、該遊技盤における装飾部材の下方位置に、パチンコ球(遊技球)の入賞により図柄表示装置での変動を開始させる始動入賞装置や大当り時等に開放する特別入賞装置を配設するよう構成されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、前記図柄表示装置で図柄変動ゲームに伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。なお、このような構成を備えたパチンコ機は、例えば特許文献１に開示されている。
【先行技術文献】
【特許文献】
【０００４】
【特許文献１】特開２００１−２２４７４８号公報
【発明の概要】
【発明が解決しようとする課題】
【０００５】
前述したように、一般的なパチンコ機は、遊技領域内を不規則に流下するパチンコ球の入賞に応じて所定の遊技が行なわれるよう構成される。ここで、パチンコ機に使用されるパチンコ球は、直径１ｃｍ程度の金属球からなり、前記遊技盤の前側をガラスユニットで覆う構成とされていることから、ガラスユニットの前面側から磁石の磁力を利用して遊技領域内のパチンコ球を意図的に操作する不正行為が行なわれる虞がある。このため、一般的なパチンコ機に採用されるガラスユニットは、前後に所定間隔離間させた２枚のガラス板から構成されて、遊技盤の盤面からガラスユニットの前面までの間隔を大きくすることで、ガラスユニットの前面側で操作された磁石がパチンコ球に与える影響を低減するようになっている。
【０００６】
しかしながら、前述のように２枚のガラス板から構成したガラスユニットを採用した構成であっても、パチンコ機の構造上、遊技盤および前枠間のスペースには限りがあり、両ガラス板の間隔を大きくすることには限度がある。このため、２枚のガラス板からなるガラスユニットを採用したとしても、強力な磁力を発現する磁石を利用して不正行為が行なわれた場合にパチンコ球の不正な操作を防止することは困難であり、不正行為防止のために有効な技術が強く望まれているのが現状である。
【０００７】
このため、最近のパチンコ機の中には、遊技盤側に磁気センサを配設して、磁石を用いた不正行為を検知するよう構成されたものが提案されている。しかしながら、１個の磁気センサの磁気検知範囲には限界があるため、広範囲の不正行為を検知するためには相当数(遊技盤の構成によっては１０個以上)の磁気センサを配設する必要があり、パチンコ機の製造コストを押し上げる要因となっている。また、遊技盤には、前述のように前記装飾部材や各種入賞装置、その他の演出装置が配設される関係上、遊技領域全体の不正行為を検知するのに必要とされる多数の磁気センサを遊技盤に配設することは極めて困難である。従って、現実的な構成として、磁石を用いた不正行為が行なわれる可能性が懸念される箇所を選定して磁気センサを重点的に配置することが多い。このため、磁気センサによる磁気検知範囲から外れた位置で不正行為が行なわれた場合には、不正行為が磁気センサにより検知されず、不正行為を防止し得ない欠点を内在している。
【０００８】
そこで本発明は、従来の技術に内在する前記問題に鑑み、これらを好適に解決するべく提案されたものであって、磁石を利用した不正行為の防止効果を低コストで向上可能な遊技機を提供することを目的とする。
【課題を解決するための手段】
【０００９】
前記課題を克服し、所期の目的を達成するため、請求項１に係る遊技機は、
遊技盤(20)の前側に設けられると共に該遊技盤(20)に対応する位置で前後に開口する窓部(13a)が開設された枠部材(13)と、前記枠部材(13)の裏側に配設されて前記遊技盤(20)の前側に位置し、複数の平行な透明板(31)からなる透明部材(30)とを備え、前記枠部材(13)の窓部(13a)に臨む遊技盤(20)が前記透明部材(30)を介して前側から視認されるよう構成された遊技機であって、
前記枠部材(13)の裏側から前記窓部(13a)に嵌合すると共に、少なくとも前記遊技盤(20)に形成される遊技領域(20a)の前方に臨む部位が透明に形成された突出部(63)と、
前記突出部(63)の後端部全周に亘って形成されて該突出部(63)の外方へ延出し、前記枠部材(13)における前記窓部(13a)を形成する装飾部(55)および前記透明部材(30)に当接する設置面部(61)と、
を備えた保護部材(60)が前記透明部材(30)の前側に配設されて、
前記保護部材(60)における設置面部(61)の後面全体が透明部材(30)に当接すると共に、前記突出部(63)の前面(65a)および後面(65b)の全体が透明部材(30)の透明板(31)と平行になるよう構成されたことを要旨とする。
【００１０】
すなわち、枠部材における前記窓部を形成する装飾部と透明部材との間に臨む設置面部から突出部が前方へ突出した保護部材を設けて、該保護部材の設置時に、枠部材の窓部に突出部が嵌合するよう構成したから、磁石を利用した不正行為に際して、磁石を保護部材の突出部前面までしか近づけることができない。従って、遊技盤の遊技領域を流下する遊技球に対する磁石の磁力の影響が低下し、当該不正行為の防止効果が向上する。また、枠部材の窓部に保護部材が嵌合することで窓部全体を突出部で覆うことができ、複数の磁気センサを利用することなく遊技領域の全体に対する不正行為の防止効果を向上することが可能となる。前記保護部材における突出部の前面および後面の全体が透明部材の透明板と平行になるよう構成されているから、透明部材と保護部材(突出部)とを透過して遊技盤を視認したとしても透過した像(遊技盤の遊技領域内の遊技部品)の歪み等の発生が防止され、遊技盤の視認性が低下することはない。
【００１１】
請求項２に係る遊技機は、前記透明部材(30)には、前記複数の透明板(31)の外周縁を囲繞する枠体(32)に第１係合部(71)が設けられると共に、前記保護部材(60)には、前記設置面部(61)において前記第１係合部(71)と対応する端縁に第２係合部(76)が設けられ、
前記第１係合部(71)および第２係合部(76)を係脱可能に係合させることで、前記透明板(31)から前面側に突出する枠体(32)の突出部分(32a)の内周側に保護部材(60)の設置面部(61)が嵌合した状態で、当該保護部材(60)が透明部材(30)に着脱可能に保持されることを要旨とする。
【００１３】
請求項３に係る遊技機は、前記透明部材(30)に設けられ、前記複数の透明板(31)の外周縁を囲繞する枠体(32)における透明板(31)から前面側に突出する突出部分(32a)に形成された逃げ部(32b)と、
前記保護部材(60)に設けられ、前記透明部材(30)における前記枠体(32)の突出部分(32a)の内周側に前記設置面部(61)を嵌合した際に、前記逃げ部(32b)を介して枠体(32)の外方へ延出する保持片(81)と、
前記枠部材(13)に設けられ、前記保持片(81)を枠部材(13)との間に挟持する挟持位置および該保持片(81)から退避して保持片(81)の挟持を解除する退避位置に変位可能な固定具(84)とを備え、
前記窓部(13a)に前記突出部(63)を嵌合させた状態で前記固定具(84)を挟持位置に変位することで、前記保持片(81)が前記枠部材(13)と固定具(84)とにより挟持されて、前記保護部材(60)が枠部材(13)に対して着脱可能に保持されることを要旨とする。
【００１５】
請求項４に係る遊技機は、前記装飾部(55)において前記窓部(13a)の内周面を形成する内周壁(56)が前記透明部材(30)に対して交差する角度(θ1)は、該装飾部(55)において内周壁(56)に連設して前面をなす装飾面(57)が透明部材(30)に対して交差する角度(θ2)より大きく設定されると共に、前記保護部材(60)の突出部(63)は透明部材(30)に対して直交するよう形成されたことを要旨とする。
【００１６】
このように、装飾部の内周壁が透明部材に対して交差する角度を、該装飾部の装飾面が透明部材に対して交差する角度より大きく設定すると共に、該保護部材の突出部を透明部材に対して直交するよう形成することで、装飾面が透明部材に対して交差する角度で装飾部の内周壁を形成した場合に較べて、保護部材の突出部と内周壁とを近接させることができ、異物挿入による不正行為の防止に寄与する。
【発明の効果】
【００１９】
すなわち、本発明の遊技機によれば、磁石の磁気を磁気センサで検出することなく磁石を利用した不正行為を防止できるから、該磁気センサの配設数を低減してコスト低減を図り得る。
【図面の簡単な説明】
【００２０】
【図１】本発明の実施例に係るパチンコ機を示す正面図である。
【図２】実施例１に係る前枠、保護部材およびガラスユニットを分解した状態を正面面側から示す斜視図である。
【図３】実施例１に係る前枠、保護部材およびガラスユニットを分解した状態を背面側から示す斜視図である。
【図４】実施例１に係る前枠の背面図である。
【図５】実施例１に係る前枠に保護部材を組み付けた状態を示す背面図である。
【図６】実施例１に係る前枠に保護部材およびガラスユニットを組み付けた状態を示す背面図である。
【図７】実施例１に係る保護部材とガラスユニットとを組み付けた正面図である。
【図８】実施例１に係る保護部材とガラスユニットとを組み付けた状態で示す要部拡大斜視図である。
【図９】図６におけるＡ−Ａ線断面図である。
【図１０】図６におけるＢ−Ｂ線断面図である。
【図１１】実施例２に係るガラスユニットの第１係合部と、保護部材の第２係合部とを示す要部拡大斜視図である。
【図１２】実施例３に係る保護部材とガラスユニットとを組み付けた正面図である。
【図１３】(a)は実施例３に係る前枠に保護部材を組み付けた状態を示す背面図であり、(b)は実施例３に係る前枠に保護部材およびガラスユニットを組み付けた状態を示す背面図である。
【発明を実施するための形態】
【００２１】
次に、本発明に係る遊技機につき、好適な実施例を挙げて、添付図面を参照しながら、以下詳細に説明する。なお各実施例では、遊技機として、金属製(例えば鋼)パチンコ球を使用して遊技を行なう一般的なパチンコ機を例にして説明する。また、以下の説明において前・後および左・右とは、特に断りのない限り、図１に示すようにパチンコ機１０の遊技盤２０を正面側から見た場合において指称するものとする。
【実施例１】
【００２２】
(パチンコ機１０)
実施例１に係るパチンコ機１０は、図１に示すように、前後に開口する矩形枠状に形成されて遊技店の図示しない設置枠台に固定される固定枠としての外枠１１の開口前面側に、後述する遊技盤２０が着脱可能に設置される設置枠としての中枠１２が開閉および着脱可能に組み付けられている。また、前記中枠１２の前面側には、前記遊技盤２０に対応する位置で前後に開口する窓部１３ａが形成された装飾材としての前枠(枠部材)１３が開閉可能に組み付けられると共に該前枠１３の下方にパチンコ球を貯留する下球受け皿１５が開閉可能に組み付けられる。また、前記前枠１３には、前記窓部１３ａの対応位置にガラスユニット(透明部材)３０および保護部材６０が夫々配設されて、前記遊技盤２０を前側から透視可能な状態で窓部１３ａを被覆している(図２または図３参照)。なお、図１では、前記ガラスユニット３０および保護部材６０を透過した遊技盤を図示してある。そして、実施例１では、前記前枠１３の下部位置に、パチンコ球を貯留する上球受け皿(球受け部)１４が一体的に組み付けられており、前枠１３の開閉に合わせて上球受け皿１４も一体的に開閉するよう構成される。
【００２３】
また、前記中枠１２の右下方位置には、該中枠１２に配設された打球発射装置(図示せず)を作動する操作ハンドル１６が設けられており、該操作ハンドル１６の操作により打球発射装置が作動することで、前記上球受け皿１４に貯留されたパチンコ球が前記遊技盤２０に向けて発射されるようになっている。なお、前記中枠１２の裏側には、遊技店側の球循環設備から供給されるパチンコ球を貯留する球タンクや、該球タンクに連通してパチンコ球を整列させるタンクレール２１、該タンクレール２１で整列されたパチンコ球を払い出す球払出装置等からなる球払出機構部(何れも図示せず)が設けられており、後述する各入賞装置への入賞や球貸しスイッチの押圧操作等に応じて球払出装置が作動されて、前記上球受け皿１４または下球受け皿１５にパチンコ球が払い出されるようになっている。
【００２４】
(遊技盤２０)
前記遊技盤２０は、図１に示すように、略矩形状に形成された所定厚の板部材であって、該遊技盤２０の盤面(前面)に、略円形状に湾曲したレール２１が設けられて、該レール２１の内側にパチンコ球が流下可能な遊技領域２０ａが画成される。そして、前記打球発射装置から発射されたパチンコ球が前記レール２１に沿って遊技領域２０ａ内に案内されて、遊技盤２０の盤面と前記前枠１３に配設されたガラスユニット３０との間を流下するようになっている。また、前記遊技盤２０には、前記遊技領域２０ａ内に多数の遊技釘が植設されており、遊技領域２０ａを流下するパチンコ球が遊技釘に接触することでパチンコ球の流下方向を不規則に変化させたり、パチンコ球を一定方向に誘導するようになっている。また遊技盤２０には、前後に貫通する装着口(図示せず)が前記遊技領域２０ａ内の複数箇所に開設されて、各装着口に対して各種の遊技部品が取付けられている。なお、前記装着口の形成数や大きさは、遊技盤２０に対して取付けられる各種部品の個数や配設位置等に応じて適宜決定される。
【００２５】
ここで、実施例１の遊技盤２０では、前後に開口する枠状に形成された枠状装飾体２３が取付けられ、該枠状装飾体２３の窓口２３ａを介して遊技盤２０の裏側に配設された図柄表示装置１８の表示面が遊技盤２０の前面側に臨むよう構成されている。また、枠状装飾体２３の下方には、遊技領域２０ａを流下するパチンコ球が入賞可能な始動入賞装置２４や特別入賞装置２５が取付けられている。そして、前記始動入賞装置２４の入賞口にパチンコ球が入賞することで、前記図柄表示装置１８に図柄を変動表示する図柄変動演出が展開され、該図柄変動演出の結果、図柄表示装置１８に所定の図柄組み合わせ(例えば同一図柄の３つ揃い等)で図柄が停止表示されると、前記特別入賞装置２５が開放して所謂大当りが発生し、特別入賞装置２５の入賞口が開放されて遊技者が多数の賞球を獲得可能な機会が与えられるようになっている。なお、前記図柄表示装置１８としては、各種図柄を表示可能な液晶パネルを収容ケースに収容した液晶表示装置や、ドラム式の表示装置やドットマトリックス式の表示装置、７セグメントディスプレイ、その他の各種図柄を停止および変動表示可能な表示装置が採用される。
【００２６】
(前枠１３について)
実施例１に係る前枠１３は、前記遊技盤２０の前面全体を覆う本体部４０と、該本体部４０の裏面に配設された補強用のベース部材４７と、当該本体部４０の前面に配設された装飾部５５とを備え(図３、図４、図９、図１０等参照)、該ベース部材４７の裏側に前記ガラスユニット３０が着脱可能に取付けられると共に、該前枠１３とベース部材４７との間に前記保護部材６０が挟持されるようになっている。ここで、前記ガラスユニット３０は、図２、図３、図６、図１０に示すように、前記遊技盤２０の遊技領域２０ａ全体を被覆可能な大きさに形成された平行な２枚のガラス板３１(透明板)と、該２枚のガラス板３１の外周を囲繞する枠状に形成された保持枠３２(枠体)とから構成されている。そして、前記保持枠３２の内周面側に、前後に離間する２条の嵌合溝３３が全周に亘って設けられており、各嵌合溝３３にガラス板３１の外周縁部を嵌合することで、ガラス板３１が保持枠３２に保持されるようになっている。すなわち、前記保持枠３２に各ガラス板３１を保持した状態で、各ガラス板３１の外面側に保持枠３２が突出し、該保持枠３２におけるガラス板３１からの突出部分３２ａの内周側に、前記保護部材６０の設置面部６１(後述)が嵌合するよう構成される。ここで、以下の説明では、保持枠３２の突出部分３２ａという場合には、前枠１３にガラスユニット３０を保持した状態で前側に位置するガラス板３１の前面側に突出する部分をいうものとする。
【００２７】
また、前記ガラスユニット３０は、図２、図３に示すように、上縁および下縁が略水平方向に延在し、かつ左右両側縁が略鉛直方向に延在するよう形成されている。そして、前記ガラスユニット３０の下端部における左右側部は、水平部分から外方へ向かうにつれて上方に傾斜するよう形成されると共に、該ガラスユニット３０の上端部における左右側部は、水平部分から外方へ向かうにつれて下方に傾斜するよう形成される。すなわち、前記ガラスユニット３０は、上下および左右対称な八角形に形成されている。そして、前記ガラスユニット３０において前記保持枠３２の突出部分３２ａは、該保持枠３２の外周端から内周端までの幅寸法が全周に亘って一定に形成されている。このため、実施例１では前記保持枠３２における突出部分３２ａの内周形状は、前記ガラスユニット３０と同様に八角形となっている。すなわち、保持枠３２における突出部分３２ａの内周形状は非円形である。また、前記ガラスユニット３０(保持枠３２)における下部側の傾斜部分には、下方に突出する下側挟持片３４,３４が形成されて、後述する下側固定具５１と前枠１３(ベース部材４７)との間に下側挟持片３４,３４が挟持固定されると共に、該ガラスユニット３０(保持枠３２)における上部側の傾斜部分には、上方に突出する上側挟持片３５,３５が形成され、後述する上側固定具５３と前枠１３(ベース部材４７)との間に上側挟持片３５,３５が挟持固定されるよう構成されている。
【００２８】
(本体部４０)
前記本体部４０は、前記遊技盤２０に対して略平行な平板面を基本として適宜位置に前後方向に突出するよう形成されると共に、前記遊技盤２０の遊技領域２０ａの前側位置に、前後に開口する本体開口部４０ａが開設されている。そして、前記本体開口部４０ａの下方位置に前記上球受け皿１４が設けられている。また、前記本体部４０の左下方位置には、前後に開口する球給出口４１が形成されると共に、該球給出口４１と対応する位置に上方へ開放する受け部４２が後方へ突出するよう形成されている。そして、前記球給出口４１の前方開口が前記上球受け皿１４内に開口すると共に、前記中枠１２に設けた球払出機構部が前記受け部４２に連通するよう構成されて、該球払出機構部から受け部４２および球給出口４１を介してパチンコ球が上球受け皿１４に払い出されるようになっている。
【００２９】
ここで、前記上球受け皿１４は、上方および後方に開口するよう形成された球皿部材４３と、該球皿部材４３の外面を装飾する適宜の装飾形状に形成された外装部材４４とから構成されている。そして、前記球皿部材４３および外装部材４４を前記本体部４０の前面に取付けることで、多数のパチンコ球を貯留可能な球貯留部４５ａおよび該球貯留部４５ａに貯留したパチンコ球を一列に整列する球整列部４５ｂが上方に開口するよう画成されるようになっている。なお、実施例１の上球受け皿１４(外装部材４４)の上面には、遊技者の押圧操作により前記球払出装置を作動して球給出口４１からパチンコ球を貸球として払い出す球貸スイッチ４６ａや、遊技者の押圧操作に応じて前記図柄表示装置１８に所定の表示を行なう演出用スイッチ４６ｂ等を備えたスイッチパネル４６が配設されている。
【００３０】
(ベース部材４７)
前記ベース部材４７は、前記本体部４０の裏面を略被覆する大きさに形成された金属製の平板状部材であって、本体部４０の裏側にネジ止めされる。ここで前記ベース部材４７の後面側には、後方に開口する凹部４８が複数箇所に形成されると共に、この凹部４８には前後に貫通する通孔４８ａが形成されており(図４参照)、ベース部材４７の裏側から通孔４８ａに挿通したネジを、前記本体部４０のネジ孔(図示せず)に螺挿することで、本体部４０に対してベース部材４７がネジ止めされるようになっている。また、前記ベース部材４７を本体部４０に固定するネジの頭部は、前記凹部４８内に完全に収容されて、前記ガラスユニット３０の保持枠３２および前記保護部材６０の設置面部６１をベース部材４７に当接した際に、該保持枠３２および設置面部６１がネジの頭部に接触しないよう構成される。なお、前記ベース部材４７における左側の上下の端部(図３、図４では右側の上下の端部)には、前記中枠１２に設けた支持金具１２ａ(図１参照)に対して回転可能に支持される枢支部４９が設けられて、該枢支部４９を中心に前枠１３が中枠１２に対して開閉されるようになっている。
【００３１】
また、図４、図９、図１０に示すように、前記ベース部材４７における前記本体部４０の本体開口部４０ａに対応する位置には、前後に開口するベース側開口部４７ａが開設されている。ここで、前記ベース側開口部４７ａは、前記本体開口部４０ａよりも僅かに小さな形状に形成されており、該ベース側開口部４７ａの開口端部の全周に亘って前方へ折曲げ形成された補強片４７ｂ(図９参照)が本体開口部４０ａの開口内側に臨むようになっている。また、前記ガラスユニット３０のガラス板３１は、前記ベース側開口部４７ａの開口形状よりも大きく形成されて、前記前枠１３(ベース部材４７)の裏側にガラスユニット３０を配設した状態で、ベース側開口部４７ａの全体がガラス板３１で覆われるようになっている。
【００３２】
更に、図３〜図６に示すように、前記ベース部材４７の裏面側には、前記ベース側開口部４７ａの下方位置に、前記ガラスユニット３０の下端部を支持する下側支持部材５０(支持部材)が取付けられている。そして、前記下側支持部材５０の左右端部に、前記ガラスユニット３０の下側挟持片３４,３４を前記ベース部材４７との間で挟持固定可能な回転式の下側固定具５１(固定具)が配設されている。前記下側固定具５１は、前記下側挟持片３４,３４をベース部材４７との間で挟持する挟持位置(図６参照)と、下側挟持片３４,３４の後面から退避して下側挟持片３４,３４の挟持固定を解除する解除位置(図４、図５参照)に回転し得るよう構成されている。すなわち、前記ガラスユニット３０(保持枠３２)の下端部を下側支持部材５０に載置してガラスユニット３０(保持枠３２)の前面をベース部材４７に当接した状態で、前記各下側固定具５１を挟持位置に回転変位することで、ガラスユニット３０の下部が前枠１３に固定される。
【００３３】
また、前記ベース部材４７の裏面側には、前記ベース側開口部４７ａの上方位置に、上側支持部材５２(支持部材)が取付けられている。ここで、前記下側支持部材５０から上側支持部材５２までの離間距離は、前記ガラスユニット３０の上下寸法に略整合するよう設定されている。すなわち、前記ガラスユニット３０(保持枠３２)の下端部を前記下側支持部材５０に載置すると共に該ガラスユニット３０(保持枠３２)の前面をベース部材４７に当接した状態で、当該ガラスユニット３０(保持枠３２)の上端部に上側支持部材５２が近接位置して、当該ガラスユニット３０の上方移動を規制するようになっている。また、前記上側支持部材５２の左右端部には、前記ガラスユニット３０に設けた前記上側挟持片３５,３５を前記ベース部材４７との間で挟持固定する回転式の上側固定具５３(固定具)が配設されている。前記上側固定具５３は、前述した下側固定具５１と同様に、前記上側挟持片３５,３５の後面に当接して上側挟持片３５,３５を前記ベース部材４７との間で挟持する挟持位置(図６参照)と、上側挟持片３５,３５の後面から退避して上側挟持片３５,３５の挟持固定を解除する解除位置(図４、図５参照)に回転し得るよう構成されている。すなわち、前記ガラスユニット３０(保持枠３２)の下端部を下側支持部材５０に載置してガラスユニット３０(保持枠３２)の前面をベース部材４７に当接した状態で、前記各上側固定具５３を挟持位置に回転変位することで、ガラスユニット３０の上部が前枠１３に固定される。
【００３４】
(装飾部５５)
図２、図９、図１０に示すように、前記装飾部５５は、前記本体開口部４０ａを囲繞するよう前記本体部４０の前面側に配設された合成樹脂製の部材であって、前記本体部４０に開設した本体開口部４０ａの開口内側に臨むよう該本体開口部４０ａの開口縁に沿って延在する環状の内周壁５６と、該内周壁５６の前端部に連接すると共に本体部４０の前面を覆う装飾面５７とから構成されて、当該内周壁５６により前後に開口する前記窓部１３ａを画成している。すなわち、前記装飾部５５の内周壁５６により画成される前記窓部１３ａを介して前記遊技盤２０の遊技領域２０ａがパチンコ機１０の前側に露出する。なお、実施例１では、装飾部５５は複数(実施例１では３つ)の部材から構成されて、各部材を前記本体部４０に組み付けることで全体として本体開口部４０ａと対応する位置で前後に開口する窓部１３ａを画成している。また、前記装飾部５５は複雑な立体形状に形成されて、前記本体部４０との間に画成される空間部５８内に、ＬＥＤ基板やスピーカ等の演出部品(図示せず)が設置されている。
【００３５】
また、図９、図１０に示すように、前記装飾部５５の内周壁５６は、前記本体部４０の後面よりも後方に突出するよう形成されており、該内周壁５６の後端部の全周が前記ベース部材４７の後面と同一面上に位置している。すなわち、前記保護部材６０の設置面部６１が内周壁５６の後端部およびベース部材４７の後面に当接するよう構成される。ここで、前記装飾部５５の内周壁５６が前記ガラスユニット３０のガラス板３１に対して交差する角度θ１は、該装飾部５５の周壁部に連設する前記装飾面５７がガラスユニット３０のガラス板３１に対して交差する角度θ２より大きく設定される。なお、前記内周壁５６のガラス板３１に対する交差角度θ１は、９０°の近傍に設定されて、内周壁５６がガラス板３１に略直交するようになっている。
【００３６】
ここで、実施例１の装飾部５５は、前記本体開口部４０ａの上部位置において前記装飾面５７が最も前方に突出するよう形成されて、下方に向かうにつれて前後の突出寸法が漸減し、更に該本体開口部４０ａの下端部近傍で前後の突出寸法が漸増する立体形状に形成されている。すなわち、前記実施例１の装飾部５５では、前記前枠１３の上部位置において前記内周壁５６の後端部から前端部(すなわち窓部１３ａの開口後端部から開口前端部)までの突出寸法が最大値ＬＭａｘとなる。また、前記装飾部５５には、前記上球受け皿１４の球整列部４５ｂの上方位置(前記本体開口部４０ａの下端部に対応した位置)に、前記内周壁５６の後端部からの突出寸法が小さい段差部５９が形成されており、該球整列部４５ｂ内で整列するパチンコ球の視認性を高めている。そして、実施例１の装飾部５５では、前記窓部１３ａの開口下部となる前記段差部５９の形成位置において、前記内周壁５６の後端部から前端部までの突出寸法が最小値ＬＭｉｎとなっている。ここで、前記装飾部５５における内周壁５６の前端部は、該内周壁５６と装飾面５７との境界位置(屈曲位置)をいうものとする。また、前記内周壁５６や装飾面５７が連続的に湾曲形成されて、境界位置が不明確な場合は、窓部１３ａの開口後端部から開口前端部の突出寸法は、内周壁５６の後端部から装飾面５７の前面までの突出寸法に設定される。
【００３７】
(保護部材６０)
図２、図３、図５、図７、図９、図１０に示すように、前記保護部材６０は、前記ガラスユニット３０におけるガラス板３１の前面に当接する平板状の設置面部６１と、該設置面部６１から前方へ突出するよう形成されて前記前枠１３の裏側から前記窓部１３ａに嵌合する突出部６３とから構成されている。また、実施例１の保護部材６０(設置面部６１および突出部６３)は、無色透明な合成樹脂材により全体が形成しており、窓部１３ａに嵌合した突出部６３および該窓部１３ａの後方に臨む前記ガラスユニット３０を介して遊技盤２０の遊技領域２０ａを前側から透視し得るようになっている。ここで、前記設置面部６１の外周形状は、前記ガラスユニット３０(ガラス板３１)の外周形状より小さい形状に形成されて、設置面部６１の後面全体がガラスユニット３０(ガラス板３１)の前面に当接するようになっている。具体的には、前記ガラスユニット３０における保持枠３２の突出部分３２ａの内周形状に整合する形状に前記設置面部６１の外周形状が形成される。すなわち、前記保持枠３２の突出部分３２ａの内周側に前記設置面部６１を嵌合することで、該設置面部６１の後面全体がガラス板３１に当接した状態でガラスユニット３０に対して保護部材６０が位置決めされるようになっている。
【００３８】
また、前記設置面部６１を前記保持枠３２の突出部分３２ａの内周側に嵌合させた際に、該設置面部６１の前面が保持枠３２(ガラスユニット３０)の前面より前方に突出しないよう構成されている。具体的には、前記設置面部６１の厚み寸法は、前記ガラスユニット３０において前記保持枠３２の突出部分３２ａが前面側のガラス板３１の前面から突出する寸法に一致するよう形成されて、保持枠３２の突出部分３２ａの内周側に前記設置面部６１を嵌合した際に、該設置面部６１の前面と保持枠３２(ガラスユニット３０)の前面とが同一面上に位置するようになっている。すなわち、前記保持枠３２の突出部分３２ａの内周側に前記設置面部６１を嵌合させた状態で前記ガラスユニット３０を前枠１３の裏側に配設した際に、設置面部６１の前面が前記ベース部材４７に面接触した状態でベース部材４７およびガラスユニット３０(ガラス板３１)の間に挟持固定される(図９参照)。また、前記前枠１３の装飾部５５は、内周壁５６の後端部が前記ベース部材４７の後面と同一面上に位置しているから、該前枠１３の装飾部５５(内周壁５６)とガラスユニット３０(ガラス板３１)との間に設置面部６１が挟持されるようになっている。
【００３９】
また、前記突出部６３は、図７に示すように、前記装飾部５５により画成される窓部１３ａの後方開口形状(内周壁５６の後端部の開口形状)に整合する周壁部６４と、該周壁部６４の前端部に連設された前面板６５とから形成されて、該突出部６３の全体が後方に開口するようになっている。ここで、前記突出部６３の前面板６５は、略均一な厚み寸法となるよう形成されて、前記ガラスユニット３０に対して保護部材６０を位置決めした状態で、該前面板６５の前面６５ａおよび後面６５ｂの全体がガラス板３１と平行になるよう構成されている。なお、前面板６５の厚み寸法は、完全に均一な厚みである必要はなく、成型状の誤差等に起因する誤差は当然に許容されるものであり、該前面板６５を透過して目視される遊技盤２０の遊技領域２０ａが歪まない程度の厚みの誤差は許容される。
【００４０】
また、前記突出部６３の周壁部６４は、その全周が前記設置面部６１(ガラスユニット３０のガラス板３１)に対して直交するよう形成されると共に、該周壁部６４の外周形状が前記前枠１３における前記窓部１３ａの開口形状(具体的には窓部１３ａの後方開口端の開口形状)に合致するよう構成されている。すなわち、前記保護部材６０の突出部６３を前記前枠１３の窓部１３ａに嵌合させた際に、突出部６３の周壁部６４と装飾部５５の内周壁５６とが近接してワイヤ等の異物挿入を困難にしている。
【００４１】
ここで、前記設置面部６１から突出部６３の前面６５ａまでの距離寸法(すなわち設置面部６１からの突出部６３の突出寸法)は、前記前枠１３における窓部１３ａの開口後端部(内周壁５６の後端部)から開口前端部(内周壁５６の前端部)までの離間寸法の最小値ＬＭｉｎと一致するよう設定されている。すなわち、実施例１では、前記設置面部６１からの突出部６３の突出寸法は、前記窓部１３ａの開口下部(段差部５９の形成位置)における開口後端部(内周壁５６の後端部)から開口前端部(内周壁５６の前端部)までの離間寸法と一致して、このため、前記窓部１３ａに突出部６３を嵌合して設置面部６１を前枠１３の後面に当接した状態では、該窓部１３ａの開口内側に突出部６３の全体が臨むようになっている。
【００４２】
(実施例１の作用)
次に、前述のように構成された実施例１に係るパチンコ機１０の作用につき説明する。
【００４３】
前記操作ハンドル１６の操作に伴って打球発射装置が作動されると、前記遊技盤２０に設けたレール２１に沿って遊技領域２０ａ内にパチンコ球が打ち出され、遊技盤２０上に植設した遊技釘等に接触することで流下方向を変更しながらパチンコ球が流下する。そして、前記遊技領域２０ａを流下するパチンコ球が前記始動入賞装置２４に入賞することにより、所定の制御条件下で前記図柄表示装置１８での図柄変動演出が開始され、図柄変動演出の結果、図柄表示装置１８に所定の図柄組み合わせが表示されると大当りが発生する。そして、大当りの発生に伴って前記遊技盤２０の下方に設けられた特別入賞装置２５が開放されると共に、図柄表示装置１８において大当り演出が行なわれる。前記遊技盤２０の遊技領域２０ａは、前記前枠１３に開設された窓部１３ａ(ガラスユニット３０および保護部材６０の突出部６３)を介してパチンコ機１０の前面側から視認し得るようになっており、遊技者がパチンコ球の動きや図柄表示装置１８で行なわれる各種演出を確認しながら遊技を行ない得るようになっている。
【００４４】
ここで、前記前枠１３とガラスユニット３０との間に設けられた前記保護部材６０は、前記前枠１３において窓部１３ａを形成する前記装飾部５５の内周壁５６およびベース部材４７の夫々と、前記ガラスユニット３０のガラス板３１との間に設置面部６１が挟持された状態で、該保護部材６０の突出部６３が窓部１３ａに嵌合している。すなわち、前記前枠１３に対してガラスユニット３０および保護部材６０を設置した状態では、前枠１３に開設した窓部１３ａの後方開口を覆うガラスユニット３０の前側に、該窓部１３ａに嵌合した前記保護部材６０の突出部６３が位置する。このため、磁石を利用した不正行為が行なわれたとしても、保護部材６０の突出部６３の前面６５ａまでしか磁石を近づけることができない。すなわち、遊技盤２０の遊技領域２０ａを流下するパチンコ球に対する磁石の磁力の影響を大幅に低下することができ、磁石を利用した不正行為を効果的に防止し得る。
【００４５】
また、前記前枠１３における窓部１３ａの内周形状(内周壁５６の後端部の開口形状)と、前記保護部材６０における突出部６３の外周形状とを合致させて、窓部１３ａに突出部６３を嵌合させたことで、窓部１３ａの内周側全体を突出部６３で塞ぐことができる。しかも、前記突出部６３の前面６５ａを前記ガラスユニット３０のガラス板３１(遊技盤２０)と平行になるよう形成してあるから、前記窓部１３ａの内周側の何処から磁石を近づけたとしても、ガラスユニット３０(ガラス板３１)から一定距離(突出部６３の突出寸法)だけ磁石を離間させることができ、窓部１３ａに臨む遊技盤２０(遊技領域２０ａ)の全体に対して、磁石を利用した不正行為から保護することが可能となる。また、磁気センサを設置することなく磁石の不正行為を防止できるから、磁石による不正行為の防止効果を損なうことなく遊技盤２０への磁気センサの設置数を削減でき、製造コストの低減を図ることが可能となる。
【００４６】
ここで、実施例１の保護部材６０は、前記設置面部６１の外周形状を、前記ガラスユニット３０における保持枠３２の突出部分３２ａの内周形状と合致するよう形成されているから、ガラスユニット３０および保護部材６０を前枠１３に組み付ける際に、保持枠３２の突出部分３２ａの内周側に該設置面部６１を嵌合することができる。そして、前記保持枠３２における突出部分３２ａの内周形状を非円形(実施例１では八角形)となるよう形成してあるから、保護部材６０の設置面部６１を保持枠３２の突出部分３２ａの内周側に嵌合することで、該ガラスユニット３０に対して保護部材６０が一定の姿勢で位置決めされる。従って、前記ガラスユニット３０と保護部材６０とを容易に一体的に取り扱うことができ、前枠１３に対する保護部材６０およびガラスユニット３０の組み付け作業を容易に行なうことができる。
【００４７】
また、前記前枠１３に形成される前記窓部１３ａの内周形状も非円形状に形成してある。このため、前枠１３の窓部１３ａに保護部材６０の突出部６３を嵌合することで、該前枠１３に対して保護部材６０を一定の姿勢で位置決めし得る。従って、前枠１３の窓部１３ａに保護部材６０の突出部６３を嵌合して位置決めした後に、前記ガラスユニット３０を前枠１３に組み付けるようにしても、該前枠１３に対する保護部材６０およびガラスユニット３０の組み付け作業を容易に行なうことができる。このように、実施例１に係るパチンコ機１０では、前枠１３、ガラスユニット３０および保護部材６０の組み付け順序が限定されないから、これら各部材１３,３０,６０の組み付け作業を格段に向上することができる。
【００４８】
また、前記保護部材６０における前記設置面部６１の外周形状を、前記ガラスユニット３０(保持枠３２)の外周形状より小さくして、該保持枠３２の突出部分３２ａの内周側に設置面部６１を嵌合させたことで、当該設置面部６１の全面がガラスユニット３０のガラス板３１に当接する。これにより、前記設置面部６１を前枠１３(装飾部５５およびベース部材４７)とガラスユニット３０(ガラス板３１)との間に挟んだ状態で、前記上下の固定具を介してガラスユニット３０を固定した際の保護部材６０の安定性が向上する。しかも、前記設置面部６１の厚み寸法を前記保持枠３２の突出部分３２ａの突出寸法に合致させて、前記前枠１３に対して保護部材６０およびガラスユニット３０を固定した際に、前記設置面部６１の全体を前枠１３(装飾部５５およびベース部材４７)とガラスユニット３０(ガラス板３１)とにより挟むようにしたことで、保護部材６０のガタツキが極力抑制され、保護部材６０の安定性がより一層高まる。
【００４９】
また、前記設置面部６１は、前記窓部１３ａに嵌合する突出部６３の後端部の全周に亘って外方に延出するよう形成されると共に、該突出部６３を囲繞するよう前記装飾部５５における内周壁５６の後端部全周が設置面部６１に当接するから、該窓部１３ａの前側から内周壁５６と突出部６３との間にワイヤ等の不正部材が挿入されたとしても、該装飾部５５の内周壁５６より内側に進入するのを防止でき、ワイヤ等の利用した不正行為の防止効果も向上することができる。更に、保護部材６０の設置面部６１には、前記金属製のベース部材４７の後面が面接触するから、窓部１３ａ側からのワイヤ等の不正部材の進入をより効果的に防止できる。また、前記ベース部材４７を前枠１３の本体部４０に固定するネジの頭部は、該ベース部材４７に形成された凹部４８内に収容されるよう構成したから、ベース部材４７の後面に対して保護部材６０の設置面部６１を面接触させた際に、設置面部６１がネジに接触することはなく、設置面部６１の傷付きを防止できる。
【００５０】
また、実施例１に係るパチンコ機１０の前枠１３は、前記ガラスユニット３０のガラス板３１に対する前記装飾部５５の装飾面５７の交差角度θ２に較べて、該ガラス板３１に対する装飾部５５の内周壁５６の交差角度θ１が大きくなるよう設定してある。すなわち、前記ガラス板３１に対する内周壁５６の交差角度θ１は、ガラス板３１に対する装飾面５７の交差角度θ２に較べて、前記保護部材６０の周壁部６４の交差角度(すなわち９０°)に近似する。このため、前記ガラス板３１に対する装飾面５７の交差角度θ２のまま内周壁５６がガラス板３１に交差するよう形成された構成に較べて、前記突出部６３の周壁部６４と内周壁５６との間隔を狭くでき、ワイヤ等の利用した不正行為をより困難にできる。
【００５１】
また、前記保護部材６０およびガラスユニット３０を前枠１３に取付けた状態で、該保護部材６０における突出部６３の前面６５ａおよび後面６５ｂの全体がガラスユニット３０のガラス板３１と平行になるよう構成されている。このため、前記保護部材６０の突出部６３と、ガラスユニット３０とを透過した遊技盤２０が歪んで見える等の不具合は防止され、遊技盤２０(遊技領域２０ａ)の視認性を低下することはない。しかも、前記保護部材６０は、前記設置面部６１から突出部６３の前面６５ａまでの寸法を、前記装飾部５５の段差部５９の形成位置における内周壁５６の後端部から前端部までの離間寸法の値ＬＭｉｎに一致するよう設定してある。このため、前記前枠１３の下部に設けられた上球受け皿１４の上方に当該保護部材６０が突出するのを防止でき、上球受け皿１４(球整列部４５ｂ)の視認性を低下することはない。従って、保護部材６０の突出部６３を窓部１３ａに嵌合させた状態であっても、前記上球受け皿１４の球整列部４５ｂにおけるパチンコ球の整列状態を容易に確認しながら遊技を行なうことができる。
【００５２】
また、前記装飾部５５の段差部５９の形成位置では、内周壁５６の後端部から前端部までの離間寸法が前枠１３の全体において最小値ＬＭｉｎとなる。このように、前記保護部材６０における設置面部６１から突出部６３の前面までの突出寸法を、窓部１３ａの開口後端部から開口前端部までの離間寸法の最小値ＬＭｉｎに一致させたことで、該保護部材６０の突出部６３を窓部１３ａの開口内側に収容することができ、前枠１３の装飾性を損なうのを防止できる。
【実施例２】
【００５３】
次に、実施例２に係るパチンコ機１０について説明する。なお、実施例２に係るパチンコ機１０では、ガラスユニット３０および保護部材６０の構成が実施例１と相違し、その他の構成は同じである。そこで、以下の説明では、実施例２に係るガラスユニット３０および保護部材６０の構成について説明し、実施例１で説明したパチンコ機１０と同一の構成・部材に関しては、同一の符号を付して詳細な説明は省略する。
【００５４】
実施例２に係るパチンコ機１０では、前記ガラスユニット３０の保持枠３２の内周側に保護部材６０の設置面部６１を嵌合した状態で、該保護部材６０を保持枠３２に着脱可能に保持する第１の保持手段(保持手段)７０を備えている。実施例２に係る第1の保持手段７０は、前記ガラスユニット３０の保持枠３２に形成される第１係合部７１と、前記保護部材６０に形成される第２係合部７６とからなり、該第１および第２係合部７１,７６を係脱可能に係合することで、保護部材６０をガラスユニット３０と一体的に取り扱い得るよう構成されている。
【００５５】
ここで、前記第１係合部７１は、図１１に示すように、前記保持枠３２の突出部分３２ａに形成されて該突出部分３２ａの幅方向(ガラス板３１側および保持枠３２の外周面側)に開口する切欠部７２と、該保持枠３２の外周面において切欠部７２と対応する位置に形成されて前後方向およびガラスユニット３０の外方に開口する係合凹部７３とから構成されている。すなわち、前記保持枠３２には、前記切欠部７２および係合凹部７３により前面から外周面に亘って連続的に延在する溝が形成されている。そして、前記係合凹部７３は、図１１に示すように、前記切欠部７２の開口幅と同一の開口幅に設定されて保持枠３２の前端側に開口する前側凹部７３ａと、前側凹部７３ａの開口幅より大きな開口幅に設定されて保持枠３２の後端側に開口する後側凹部７３ｂとからなり、開口幅の相違から前側凹部７３ａおよび後側凹部７３ｂの接続部分に段差状の係止部７４が形成されて、該係止部７４に保護部材６０の第２係合部７６(後述)が係合可能に係合するようになっている。なお、実施例２に係る保持枠３２には、前記第１係合部７１が複数箇所(具体的には４箇所)に形成されている。
【００５６】
前記第２係合部７６は、前記保持枠３２の突出部分３２ａの内周側に前記保護部材６０の設置面部６１を嵌合させた状態において、前記第１係合部７１(切欠部７２)に対応する位置に形成されて該設置面部６１の端縁から外方へ延出し、該第１係合部７１の切欠部７２に嵌合する第１延出片７７と、該第１延出片７７の先端部に設けられて後方へ延出し、第１係合部７１の前側凹部７３ａに嵌合する第２延出片７８と、該第２延出片７８の後端部に設けられて第１係合部７１の後側凹部７３ｂに嵌合する係止片７９とから構成されている。すなわち、前記第２係合部７６の係止片７９が前記第１係合部７１の後側凹部７３ｂに嵌合することで、該係止片７９の前端部が第１係合部７１の係止部７４の後端部に当接係合して、当該係止片７９の前方移動を規制するようになっている。ここで、前記第１延出片７７および第２延出片７８の夫々は、弾性変形可能な薄板状に形成されており、該第１および第２延出片７７,７８が弾性変形することで前記係止片７９を係止部７４に係脱可能に係合させ得るようになっている。なお、前記第２係合部７６は、前記保持枠３２における前記第１係合部７１の形成箇所に対応するよう前記設置面部６１の端縁の複数箇所(具体的には４箇所)に形成してある。
【００５７】
すなわち、実施例２に係るパチンコ機１０では、前記第２係合部７６の第１および第２延出片７７,７８の弾性変形を伴って各係止片７９を対応する第１係合部７１の係止部７４に係脱可能に係合することで、前記保持枠３２の突出部分３２ａの内周側に前記保護部材６０の設置面部６１が嵌合する状態で、保護部材６０が保持枠３２(ガラスユニット３０)に保持される。従って、前記ガラスユニット３０および保護部材６０を前枠１３に組み付ける際に、該ガラスユニット３０および保護部材６０を単一の部材のように取り扱うことができるから、保護部材６０およびガラスユニット３０が分離した状態で前枠１３に対して個別に組み付ける構成に較べて格段に組み付け作業性が向上する。また、前記保護部材６０の破損等が生じた際には、前記第１および第２延出片７７,７８の弾性変形を伴って各係止片７９を対応する第１係合部７１の係止部７４から係脱解除してガラスユニット３０から簡単に分離することができる。従って、第１係合部７１および第２係合部７６を利用して保護部材６０をガラスユニット３０に保持するよう構成したとしても、ガラスユニット３０に対する保護部材６０の交換作業を容易に行なうことができる。また、前記ガラスユニット３０の保持枠３２に形成された切欠部７２に第２係合部７６の第１延出片７７が嵌合するよう構成したから、前記設置面部６１をガラスユニット３０のガラス板３１に当接させることができ、実施例２に係る保護部材６０および前枠１３の構成を採用しても、実施例１と同様の作用効果を期待し得る。
【実施例３】
【００５８】
次に、実施例３に係るパチンコ機１０について説明する。なお、実施例３に係るパチンコ機１０では、前枠１３、保護部材６０およびガラスユニット３０の構成が実施例１とは相違し、その他の構成は実施例１に係るパチンコ機１０と同じである。そこで、以下の説明では、実施例３に係る前枠１３および保護部材６０の構成について説明し、実施例１と同一の構成・部材に関しては、同一の符号を付して詳細な説明は省略する。
【００５９】
実施例３に係るパチンコ機１０では、図１２、図１３に示すように、前記前枠１３の窓部１３ａに保護部材６０の突出部６３を嵌合した状態で、該保護部材６０を前枠１３に着脱可能に保持する第２の保持手段８０を備えている。前記第２の保持手段８０は、前記保護部材６０に形成された保持片８１と、前記前枠１３に配設された第２の固定具８４とからなり、該第２の固定具８４により保持片８１を前枠１３との間に挟持することで、保護部材６０を前枠１３と一体的に取り扱い得るよう構成される。すなわち、実施例３に係る保護部材６０は、前記設置面部６１が前記保持枠３２の突出部分３２ａの内周側に嵌合する形状に形成されると共に、該保持枠３２の突出部分３２ａの内周側に設置面部６１を嵌合させた状態で、ガラスユニット３０(保持枠３２)の上部側の傾斜部分より上方へ設置面部６１が延出するよう形成されており、該設置面部６１においてガラスユニット３０の上方へ延出する部分が前記保持片８１とされる。なお、前記ガラスユニット３０の保持枠３２の突出部分３２ａには、前記保持片８１と対応する位置に、上下方向に開放する逃げ部３２ｂが所定範囲に亘って切欠形成されており、該保持枠３２の突出部分３２ａの内周側に設置面部６１を嵌合させた際に、当該設置面部６１の保持片８１が保持枠３２の逃げ部３２ｂを介してガラスユニット３０(保持枠３２)の上方へ延出する。
【００６０】
前記第２の固定具８４は、図１３に示すように、前記保護部材６０の保持片８１に対応するよう前記ベース部材４７の後面側に回転可能に設けられている。この第２の固定具８４は、前記設置面部６１の保持片８１をベース部材４７との間に挟持する挟持位置、および該保持片８１から退避して延出部の挟持を解除する退避位置に回転変位させ得るよう構成されている。
【００６１】
すなわち、実施例３に係るパチンコ機１０では、前記前枠１３の窓部１３ａに前記保護部材６０の突出部６３を嵌合させたもとで前記第２の固定具８４を挟持位置に回転変位することで、前記設置面部６１の保持片８１が第２の固定具８４とベース部材４７とにより挟持されて、該前枠１３に対して保護部材６０が保持されるようになっている。そして、前記第２の固定具８４を介して前記保護部材６０を前枠１３に対して保持した状態で、前記ガラスユニット３０を前枠１３に組み付け得るようになっている。すなわち、実施例３に係るパチンコ機１０では、前記ガラスユニット３０を前枠１３に組み付ける前に、前記第２の固定具８４により保護部材６０を前枠１３に保持できるから、前枠１３、保護部材６０およびガラスユニット３０が分離した状態で個別に組み付ける構成に較べて格段に組み付け作業性が向上する。また、前記ガラスユニット３０の保持枠３２に切欠部を形成して嵌合溝３３に嵌合したガラス板３１を露出させるようにしたから、前記設置面部６１の保持片８１と保持枠３２との干渉を防止でき、実施例３に係るガラスユニット３０、保護部材６０および前枠１３の構成を採用しても、実施例１と同様の作用効果を期待し得る。
【００６２】
(変更例)
なお、遊技機の構成としては、実施例のものに限らず、種々の変更が可能である。
(１)  実施例では、複数の透明板からなる透明部材として、２枚のガラス板を備えたガラスユニットを用いたが、これに限られるものはなく、３枚以上のガラス板からガラスユニットを用いてもよい。また、透明板としては、ガラス板である必要はなく、アクリル板等遊技盤の遊技領域を前側から透視し得る透明な板部材であればよい。
(２)  実施例の透明部材(ガラスユニット)は、枠体(保持枠)の突出部分の内周形状を八角形に形成したが、これに限られるものではない。すなわち、枠体(保持枠)の突出部分の内周形状を円形以外の形状に形成すれば、該枠体(保持枠)の突出部分に保護部材の設置面部を嵌合した際に、透明部材(ガラスユニット)に対して保護部材を位置決めして一定の姿勢に保持することが可能となる。
(３)  実施例では、保護部材における設置面部からの突出部の突出寸法を、窓部の開口後端部から開口前端部(内周壁の後端部から前端部)までの離間寸法の最小値ＬＭｉｎと一致させたが該突出部の突出寸法を離間寸法の最小値ＬＭｉｎより小さくしても、保護部材が枠部材(前枠)の前方に突出するのを防止するだけでなく、当該保護部材を窓部の開口内側に収容することができる。また、実施例では、窓部の開口下部(段差部)における開口後端部から開口前端部までの離間寸法が最小値となるようにしたが、該窓部の開口下部(段差部)における開口後端部から開口前端部までの離間寸法が最小値でない場合であっても、設置面部からの突出部の突出寸法を当該離間寸法の値以下になるよう設定することで、窓部の下方に設けられた球受け部の上方に当該保護部材が突出するのを防止でき、球受け部の視認性低下を防止できる。また、設置面部からの突出部の突出寸法を、少なくとも窓部の開口後端部から開口前端部までの離間寸法の最大値ＬＭａｘ以下になるよう設定すれば、保護部材が枠部材(前枠)の前方に突出するのを防止できる。
(４)  実施例では、保護部材の設置面部の外周形状を透明部材(ガラスユニット)の外周形状より小さい形状となるようにしたが、設置面部の外周形状を透明部材(ガラスユニット)の外周形状と同一となるよう形成することで、設置面部を挟んだ状態で固定具を介して透明部材(ガラスユニット)を枠部材(前枠)に固定した際の保護部材の安定性が向上する。また、前記固定具としては、実施例に示したものに限らず、透明部材(ガラスユニット)を枠部材(前枠)に着脱可能に固定し得るものであれば、従来公知の固定具を採用することができる。
(５)  実施例では、保護部材の全体を透明な合成樹脂材で形成したが、突出部において少なくとも遊技盤に形成される遊技領域の前方に臨む部位が透明となるよう構成すればよい。従って、設置面部や突出部において遊技領域の前方に位置しない部位については、不透明であってもよい。
(６)  実施例では、前記設置面部の厚みを、前記透明板(ガラスユニット)からの枠体(保持枠)の突出部分の突出寸法と一致させたが、該設置面部の厚みを、枠体(保持枠)の突出部分の突出寸法以下になるよう設定することで、枠体(保持枠)の突出部分内周側に嵌合した設置面部が透明部材(ガラスユニット)の前側に突出するのを防止できる。
(７)  前記枠体(保持枠)の内周側に設置面部を嵌合した状態で保護部材を着脱可能に保持する保持手段の構成は、実施例２に示した構成のものに限定されるものではなく、枠体(保持枠)側に弾性フックを形成して保護部材を係止保持するよう構成してもよい。すなわち、枠体(保持枠)に対して保護部材を着脱可能に保持可能な構成であれば、従来公知の各種形態の保持手段を採用できる。
(８)  実施例では、枠部材における装飾部の後端部を平板状部材(ベース部材)の後面と同位置となるよう構成したが、装飾部の後端部を平板状部材(ベース部材)の後面より後方へ突出するよう形成してもよい。この場合には、保護部材における設置面部の前面を平板状部材(ベース部材)に当接させた際に、前記装飾部の後端部が設置面部に押圧的に接触するから、異物挿入をより効果的に防止できる。
(９)  実施例の枠部材(前枠)は、前記窓部の内周形状が僅かに縦長の楕円形状となるよう形成したが、これに限られるものではない。すなわち、窓部の内周形状を円形以外の形状に形成すれば、該窓部に保護部材の突出部を嵌合した際に、枠部材(前枠)に対して保護部材を位置決めして一定の姿勢に保持することが可能となる。
(１０)  前記枠部材(前枠)の窓部に前記突出部を嵌合した状態で前記保護部材を着脱可能に保持する保持手段は、実施例３に示した構成に限定されるものではなく、枠部材(前枠)側に弾性フックを形成して保護部材を係止保持するよう構成してもよい。すなわち、枠部材(前枠)に対して保護部材を着脱可能に保持可能な構成であれば、従来公知の各種形態の保持手段を採用できる。
(１１)  実施例では、枠部材(前枠)に球受け部(上球受け皿)を設けるよう構成したが、該枠部材(前枠)と球受け部(上球受け皿)とを分離して設けてもよい。また実施例では、遊技機に上下の球受け皿を設けたが、何れか一方を省略して１つの球受け皿のみ設ける構成であってもよい。
(１２)  実施例では、平板状部材(ベース部材)を金属板から構成したが、これに限られるものではなく、合成樹脂材から構成してもよい。
(１３)  各実施例では、遊技機としてパチンコ機を例示して説明したが、これに限られるものではなく、アレンジボール機やピンボール機、スロットマシン機等の各種遊技機を採用し得る。また、遊技盤の構成は、実施例に示したものに限られるものではなく、遊技球が流下する遊技領域が形成される形態であれば、遊技盤に備えられる遊技部品の種類や数は任意に変更することができる。
【符号の説明】
【００６３】
１３  前枠(枠部材)
１３ａ  窓部
１４  上球受け皿(球受け部)
２０  遊技盤
２０ａ  遊技領域
３０  ガラスユニット(透明部材)
３１  ガラス板(透明板)
３２  保持枠(枠体)
３２ａ  突出部分
３２ｂ  逃げ部
５５  装飾部
５６  内周壁
５７  装飾面
６０  保護部材
６１  設置面部
６３  突出部
６５ａ  突出部の前面
６５ｂ  突出部の後面
７１  第１係合部
７６  第２係合部
８１  保持片
８４  第２の固定具(固定具)
【図１】
0005543857.tif 000002
【図２】
0005543857.tif 000003
【図３】
0005543857.tif 000004
【図４】
0005543857.tif 000005
【図５】
0005543857.tif 000006
【図６】
0005543857.tif 000007
【図７】
0005543857.tif 000008
【図８】
0005543857.tif 000009
【図９】
0005543857.tif 000010
【図１０】
0005543857.tif 000011
【図１１】
0005543857.tif 000012
【図１２】
0005543857.tif 000013
【図１３】
0005543857.tif 000014